(57)【要約】【課題】モード間干渉に伴う雑音特性及び歪特性の劣化を低減するマルチモード光伝送システムを提供する。【解決手段】光送信装置１１において、信号出力部は、入力された電気信号に基づいて、所定の信号を出力する。制御部１３０は、マルチモード光伝送路３１０を伝搬する各モードの群遅延情報に基づいて、信号出力部を制御して、信号出力部が出力する信号の周波数成分を調整する。電気光変換部１１０は、信号出力部が出力した信号を光信号に変換して、マルチモード光伝送路３１０に伝送する。【選択図】図１
2007043672.tif 000002
【特許請求の範囲】
【請求項１】
入力された電気信号を光信号に変換し、当該変換した光信号をマルチモード光伝送路を介して伝送するマルチモード光伝送装置であって、
前記入力された電気信号に基づいて、所定の信号を出力する信号出力部と、
前記信号出力部を制御して、前記所定の信号の周波数成分を調整する制御部と、
前記所定の信号を光信号に変換して、前記マルチモード光伝送路に伝送する電気光変換部とを備え、
前記制御部は、前記マルチモード光伝送路を伝搬する各モードの群遅延情報に基づいて、前記所定の信号の周波数成分を調整することを特徴とする、マルチモード光伝送装置。
【請求項２】
前記信号出力部は、前記入力された電気信号を変調して、高周波変調信号として出力する変調部を含む、
前記制御部は、前記マルチモード光伝送路を伝搬する各モードの群遅延情報に基づいて、前記変調部が出力する高周波変調信号の周波数を調整することを特徴とする、請求項１に記載のマルチモード光伝送装置。
【請求項３】
前記信号出力部は、
前記入力された電気信号を変調して、高周波変調信号として出力する変調部と、
所定の周波数を有する信号を発生させ、発生させた信号を重畳信号として出力する重畳信号発生部と、
前記変調部が出力した高周波変調信号と、前記重畳信号とを周波数多重して、前記所定の信号として出力する合波部とを含み、
前記制御部は、前記マルチモード光伝送路を伝搬する各モードの群遅延情報に基づいて、前記重畳信号発生部が出力する重畳信号の周波数を調整することを特徴とする、請求項１に記載のマルチモード光伝送装置。
【請求項４】
前記入力された電気信号はベースバンド信号であり、
前記信号出力部は、
所定の周波数を有する信号を発生させ、発生させた信号を重畳信号として出力する重畳信号発生部と、
前記ベースバンド信号と、前記重畳信号とを周波数多重して、前記所定の信号として出力する合波部とを含み、
前記制御部は、前記マルチモード光伝送路を伝搬する各モードの群遅延情報に基づいて、前記重畳信号発生部が出力する重畳信号の周波数を調整することを特徴とする、請求項１に記載のマルチモード光伝送装置。
【請求項５】
前記制御部は、前記重畳信号の高調波成分が、前記変調部が出力した高周波変調信号の帯域内に重ならないように、前記重畳信号発生部が出力する重畳信号の周波数を調整することを特徴とする、請求項３に記載のマルチモード光伝送装置。
【請求項６】
前記マルチモード光伝送路を伝搬する各モードの群遅延情報を推定するモード群遅延情報推定部をさらに備え、
前記モード群遅延情報推定部は、
短パルス信号を発生させる短パルス信号発生部と、
前記マルチモード光伝送路を介して受信した光信号を電気信号に変換する光電気変換部と、
前記短パルス信号発生部が発生させた短パルス信号と、前記光電気変換部が変換した電気信号とを比較して、前記マルチモード光伝送路を伝搬する各モードの群遅延情報を算出する比較演算部とを備え、
前記電気光変換部は、前記短パルス信号発生部が発生させた短パルス信号を光信号に変換して、前記マルチモード光伝送路を介して伝送し、
前記マルチモード光伝送路を介して受信する光信号には、前記短パルス信号発生部が発生させた短パルス信号が含まれていることを特徴とする、請求項１に記載のマルチモード光伝送装置。
【請求項７】
前記マルチモード光伝送路を介して受信する光信号には、前記信号出力部が出力した所定の信号が含まれており、
前記マルチモード光伝送路を伝搬する各モードの群遅延情報を推定するモード群遅延情報推定部をさらに備え、
前記モード群遅延情報推定部は、
前記マルチモード光伝送路を介して受信した光信号を電気信号に変換し、前記所定の信号として出力する光電気変換部と、
前記信号出力部が出力した所定の信号と、前記光電気変換部が出力した所定の信号とを比較して、前記マルチモード光伝送路で発生する歪量又は雑音量を算出し、当該算出した歪量又は雑音量に基づいて、前記マルチモード光伝送路を伝搬する各モードの群遅延情報を推定する比較演算部とを備えることを特徴とする、請求項１に記載のマルチモード光伝送装置。
【請求項８】
前記制御部は、前記マルチモード光伝送路の長さに基づいて、前記マルチモード光伝送路を伝搬する各モードの群遅延情報を算出することを特徴とする、請求項１に記載のマルチモード光伝送装置。
【請求項９】
前記制御部は、前記マルチモード光伝送路を伝搬する支配的なモード同士の間の群遅延差Δτに基づいて、前記所定の信号に含まれる周波数成分を調整することを特徴とする、請求項１に記載のマルチモード光伝送装置。
【請求項１０】
前記マルチモード光伝送路を伝搬する第１のモードと第２のモードとの間の群遅延差をΔτ、任意の自然数をｎとすると、
前記変調部は、前記高周波変調信号の周波数をｎ×１／Δτと等しい周波数に設定することを特徴とする、請求項３に記載のマルチモード光伝送装置。
【請求項１１】
前記マルチモード光伝送路を伝搬する第１のモードと第２のモードとの間の群遅延差をΔτ、任意の自然数をｎとすると、
前記変調部は、前記高周波変調信号の周波数を（ｎ−１／４）×１／Δτよりも大きく、（ｎ＋１／４）×１／Δτよりも小さい周波数の範囲で設定することを特徴とする、請求項３に記載のマルチモード光伝送装置。
【請求項１２】
前記マルチモード光伝送路を伝搬する第１のモードと第２のモードとの間の群遅延差をΔτ、任意の自然数をｎとすると、
前記重畳信号発生部は、前記重畳信号の周波数を（ｎ−１／２）×１／Δτと等しい周波数に設定することを特徴とする、請求項３に記載のマルチモード光伝送装置。
【請求項１３】
前記マルチモード光伝送路を伝搬する第１のモードと第２のモードとの間の群遅延差をΔτ、任意の自然数をｎとすると、
前記重畳信号発生部は、前記重畳信号の周波数をｎ×１／Δτと異なる周波数に設定することを特徴とする、請求項３に記載のマルチモード光伝送装置。
【請求項１４】
入力された電気信号を光信号に変換し、当該変換した光信号をマルチモード光伝送路を介して送受信する光送信装置と光受信装置とを備えるマルチモード光伝送システムであって、
前記光送信装置は、
前記入力された電気信号に基づいて、所定の信号を出力する信号出力部と、
前記信号出力部を制御して、前記所定の信号の周波数成分を調整する制御部と、
前記所定の信号を光信号に変換して、前記マルチモード光伝送路に伝送する電気光変換部とを備え、
前記制御部は、前記マルチモード光伝送路を伝搬する各モードの群遅延情報に基づいて、前記所定の信号の周波数成分を調整し、
前記光受信装置は、前記マルチモード光伝送路を介して受信した光信号を電気信号に変換する光電気変換部を備えることを特徴とする、マルチモード光伝送システム。
【請求項１５】
入力された電気信号を光信号に変換し、当該変換した光信号をマルチモード光伝送路を介して伝送するマルチモード光伝送方法であって、
前記入力された電気信号に基づいて、所定の信号を出力するステップと、
前記マルチモード光伝送路を伝搬する各モードの群遅延情報に基づいて、前記所定の信号の周波数成分を調整するステップと、
前記所定の信号を光信号に変換して、前記マルチモード光伝送路に伝送するステップとを備えることを特徴とする、方法。
【発明の詳細な説明】
【技術分野】
【０００１】
本発明は、光信号をマルチモード光伝送路を介して伝送するマルチモード光伝送装置及びマルチモード光伝送システムに関して、より特定的には、モード間干渉に伴う雑音特性及び歪特性の劣化を低減するマルチモード光伝送装置及びマルチモード光伝送システムに関する。
【背景技術】
【０００２】
例えば、非特許文献１には、従来のマルチモード光ファイバを用いた光伝送システムが開示されている。図９は、非特許文献１に開示されている従来の光伝送システムの構成の一例を示すブロック図である。図９において、従来の光伝送システムは、電気光変換部５０１と、光電気変換部５０２とが、マルチモード光伝送路５０３によって接続された構成である。
【０００３】
電気光変換部５０１には、電気信号が入力される。電気光変換部５０１は、入力された電気信号を光信号に変換し、マルチモード光伝送路５０３に送出する。マルチモード光伝送路５０３には、マルチモード光ファイバが用いられる。マルチモード光伝送路５０３を伝搬した光信号は、光電気変換部５０２に入力される。光電気変換部５０２は、入力された光信号を電気信号に変換して出力する。ここで、通常、電気光変換部５０１には、ファブリーペローレーザなどの半導体レーザが使用される。また、光電気変換部５０２には、ＰＩＮフォトダイオードやアバランシェフォトダイオードなどが使用される。
【０００４】
このようなマルチモード光ファイバを用いた光伝送システムは、マルチモード光ファイバのコア径が大きいため、光源との結合が容易であることなどから、シングルモード光ファイバを用いたシステムと比較して、安価なシステムを構築することができる。このような特徴を生かして、マルチモード光ファイバを用いた光伝送システムは、現在では、企業内におけるＬＡＮなどの比較的短距離のシステムへ多く導入されている。
【非特許文献１】ディ・アール・ジルメ（D.R. Hjelme）  エー・アール・ミケルソン（A. R. Mickelson）著、「マイクロベンディングとモーダルノイズ（Microbending and modal noise）」、（米国）、第２２巻、アプライドオプティクス（Applied Optics）、１９８３年１２月１日、p. 3874-3879
【発明の開示】
【発明が解決しようとする課題】
【０００５】
しかしながら、マルチモード光ファイバを用いた光伝送システムは、光伝送路中に複数の伝搬モードが存在するため、伝送特性が制限される。すなわち、マルチモード光ファイバを用いた光伝送システムでは、異なる伝搬モード同士がお互いに干渉し、モーダルノイズと呼ばれる雑音を発生させる。ここで、モーダルノイズとは、モード間干渉によって生じたスペックルパターンが時間的に変動することによって引き起こされるノイズである。また、光ファイバの曲げや、コネクタ間に隙間があると伝送特性の劣化は大きくなる。
【０００６】
このように、マルチモード光ファイバを用いて光伝送を行うと、モード間干渉によって伝送特性が劣化する。特に、光伝送路中のモード数が少ない場合や、光源の線幅が狭い場合などは、モード間の可干渉性が高くなるため伝送特性が大きく劣化する。このような例としては、光源に面発光レーザを、光伝送路に１．３μｍ帯シングルモード光ファイバを使用した場合などが挙げられる。面発光レーザの波長は、短波長帯の８５０ｎｍ帯が一般的であり、その波長で光伝送路にシングルモード光ファイバを用いて光伝送を行なうと、モード数は２〜３程度と少なくなる。
【０００７】
また、光源とシングルモード光ファイバとの結合を考えた場合、光源には、ファーフィールドパターンがガウス分布になるシングルモード面発光レーザを使用することが想定される。これらの状況においては、光伝送路中のモード数が少なく、光源の線幅が狭い条件となり、モード間干渉によって、マルチモード光伝送路の雑音特性及び歪特性が顕著に劣化すると考えられる。
【０００８】
それ故に、本発明の目的は、モード間干渉の影響が顕著になる条件においても、モード間干渉に伴う雑音特性及び歪特性の劣化を低減することができるマルチモード光伝送装置、及びマルチモード光伝送システムを提供することである。
【課題を解決するための手段】
【０００９】
本発明は、入力された電気信号を光信号に変換し、変換した光信号をマルチモード光伝送路を介して伝送するマルチモード光伝送装置に向けられている。そして、上記目的を達成させるために、本発明のマルチモード光伝送装置は、入力された電気信号に基づいて、所定の信号を出力する信号出力部と、信号出力部を制御して、所定の信号の周波数成分を調整する制御部と、所定の信号を光信号に変換して、マルチモード光伝送路に伝送する電気光変換部とを備える。制御部は、マルチモード光伝送路を伝搬する各モードの群遅延情報に基づいて、所定の信号の周波数成分を調整する。
【００１０】
好ましくは、信号出力部は、入力された電気信号を変調して、高周波変調信号として出力する変調部を含む。制御部は、マルチモード光伝送路を伝搬する各モードの群遅延情報に基づいて、変調部が出力する高周波変調信号の周波数を調整する。
【００１１】
また、信号出力部は、入力された電気信号を変調して、高周波変調信号として出力する変調部と、所定の周波数を有する信号を発生させ、発生させた信号を重畳信号として出力する重畳信号発生部と、変調部が出力した高周波変調信号と、重畳信号とを周波数多重して、所定の信号として出力する合波部とを含んでいてもよい。制御部は、マルチモード光伝送路を伝搬する各モードの群遅延情報に基づいて、重畳信号発生部が出力する重畳信号の周波数を調整する。
【００１２】
好ましくは、入力された電気信号はベースバンド信号である。この場合、信号出力部は、所定の周波数を有する信号を発生させ、発生させた信号を重畳信号として出力する重畳信号発生部と、ベースバンド信号と重畳信号とを周波数多重して、所定の信号として出力する合波部とを含む。制御部は、マルチモード光伝送路を伝搬する各モードの群遅延情報に基づいて、重畳信号発生部が出力する重畳信号の周波数を調整する。
【００１３】
好ましくは、制御部は、重畳信号の高調波成分が、変調部が出力した高周波変調信号の帯域内に重ならないように、重畳信号発生部が出力する重畳信号の周波数を調整する。
【００１４】
好ましくは、マルチモード光伝送装置は、マルチモード光伝送路を伝搬する各モードの群遅延情報を推定するモード群遅延情報推定部をさらに備える。モード群遅延情報推定部は、短パルス信号を発生させる短パルス信号発生部と、マルチモード光伝送路を介して受信した光信号を電気信号に変換する光電気変換部と、短パルス信号発生部が発生させた短パルス信号と、光電気変換部が変換した電気信号とを比較して、マルチモード光伝送路を伝搬する各モードの群遅延情報を算出する比較演算部とを備える。電気光変換部は、短パルス信号発生部が発生させた短パルス信号を光信号に変換して、マルチモード光伝送路を介して伝送する。マルチモード光伝送路を介して受信する光信号には、短パルス信号発生部が発生させた短パルス信号が含まれている。
【００１５】
マルチモード光伝送路を介して受信する光信号には、信号出力部が出力した所定の信号を含まれる場合がある。このとき好ましくは、マルチモード光伝送装置は、マルチモード光伝送路を伝搬する各モードの群遅延情報を推定するモード群遅延情報推定部をさらに備える。モード群遅延情報推定部は、マルチモード光伝送路を介して受信した光信号を電気信号に変換し、所定の信号として出力する光電気変換部と、信号出力部が出力した所定の信号と、光電気変換部が出力した所定の信号とを比較して、マルチモード光伝送路で発生する歪量又は雑音量を算出し、当該算出した歪量又は雑音量に基づいて、マルチモード光伝送路を伝搬する各モードの群遅延情報を推定する比較演算部とを備える。
【００１６】
なお、制御部は、マルチモード光伝送路の長さに基づいて、マルチモード光伝送路を伝搬する各モードの群遅延情報を算出してもよい。
【００１７】
好ましくは、制御部は、マルチモード光伝送路を伝搬する支配的なモード同士の間の群遅延差Δτに基づいて、所定の信号に含まれる周波数成分を調整する。
【００１８】
マルチモード光伝送路を伝搬する第１のモードと第２のモードとの間の群遅延差をΔτ、任意の自然数をｎとする。好ましくは、変調部は、高周波変調信号の周波数をｎ×１／Δτと等しい周波数に設定する。
【００１９】
マルチモード光伝送路を伝搬する第１のモードと第２のモードとの間の群遅延差をΔτ、任意の自然数をｎとする。好ましくは、変調部は、高周波変調信号の周波数を（ｎ−１／４）×１／Δτよりも大きく、（ｎ＋１／４）×１／Δτよりも小さい周波数の範囲で設定する。
【００２０】
マルチモード光伝送路を伝搬する第１のモードと第２のモードとの間の群遅延差をΔτ、任意の自然数をｎとする。好ましくは、重畳信号発生部は、重畳信号の周波数を（ｎ−１／２）×１／Δτと等しい周波数に設定する。
【００２１】
マルチモード光伝送路を伝搬する第１のモードと第２のモードとの間の群遅延差をΔτ、任意の自然数をｎとする。好ましくは、重畳信号発生部は、重畳信号の周波数をｎ×１／Δτと異なる周波数に設定する。
【００２２】
また、本発明は、入力された電気信号を光信号に変換し、当該変換した光信号をマルチモード光伝送路を介して送受信する光送信装置と光受信装置とを備えるマルチモード光伝送システムにも向けられている。そして、上記目的を達成させるために、本発明のマルチモード光伝送システムは、以下の構成の光送信装置と、光受信装置とを備える。光送信装置は、入力された電気信号に基づいて、所定の信号を出力する信号出力部と、信号出力部を制御して、所定の信号の周波数成分を調整する制御部と、所定の信号を光信号に変換して、マルチモード光伝送路に伝送する電気光変換部とを備える。制御部は、マルチモード光伝送路を伝搬する各モードの群遅延情報に基づいて、所定の信号の周波数成分を調整する。また、光受信装置は、マルチモード光伝送路を介して受信した光信号を電気信号に変換する光電気変換部を備える。
【００２３】
また、上述したマルチモード光伝送装置が備える信号出力部、制御部、及び電気光変換部が行なうそれぞれの処理は、入力された電気信号を光信号に変換し、当該変換した光信号をマルチモード光伝送路を介して伝送するマルチモード光伝送方法としても捉えることができる。
【発明の効果】
【００２４】
以上のように、本発明によれば、マルチモード光伝送路を伝搬する各モードの群遅延情報に基づいて、光信号を変調する高周波変調信号の周波数を適切に設定することで、モード間干渉に伴う雑音特性及び歪特性の劣化を低減することができる。これによって、マルチモード光ファイバを光伝送路として用いた場合も光伝送品質の低下を防ぐことができ、安いコストで高品質な光伝送システムを構築することができる。
【００２５】
また、マルチモード光伝送路を伝搬する各モードの群遅延情報に基づいて、光信号を変調する重畳信号の周波数を適切に設定することで、モード間干渉に伴う雑音特性及び歪特性の劣化を低減することができる。また、高周波変調信号に重畳信号を周波数多重することによって、光源の線幅を広げることができるため、モード間干渉に伴う雑音特性及び歪特性の劣化をより軽減することができる。
【００２６】
また、モード群遅延情報推定部を備えることで、マルチモード光伝送路を伝搬する各モードの群遅延情報を推定することができる。これによって、ネットワーク構成が変化した場合においても、モード間干渉に伴う雑音特性及び歪特性の劣化を低減することができる。また、モード群遅延情報推定部は、短パルス信号を用いることで、マルチモード光伝送路を伝搬する各モードの群遅延情報を正確に推定することができる。
【００２７】
本発明のこれらおよび他の目的、特徴、局面、効果は、添付図面と照合して、以下の詳細な説明から一層明らかになるであろう。
【発明を実施するための最良の形態】
【００２８】
以下、本発明の実施の形態について、図面を用いて説明する。
【００２９】
（第１の実施形態）
図１は、本発明の第１の実施形態に係るマルチモード光伝送システム１の構成の一例を示すブロック図である。図１において、マルチモード光伝送システム１は、光送信装置１１と、光受信装置２１とが、マルチモード光伝送路３１０で接続された構成である。光送信装置１１は、電気光変換部１１０、変調部１２０、及び制御部１３０を備える。光受信装置２１は、光電気変換部２１０を備える。
【００３０】
図１において、光送信装置１１には、送信すべきデータとして、データＤ１が入力される。データＤ１は、変調部１２０で変調され、高周波変調信号として出力される。変調部１２０から出力された高周波変調信号は、電気光変換部１１０において光信号へ変換され、マルチモード光伝送路３１０へ送出される。光受信装置２１には、マルチモード光伝送路３１０から光信号が入力される。光受信装置２１へ入力された光信号は、光電気変換部２１０で電気信号に変換され、高周波変調信号として出力される。
【００３１】
ただし、マルチモード光伝送システム１では、上述したように、マルチモード光伝送路３１０におけるモード間干渉が問題になる。すなわち、伝搬経路が異なる光信号（モード）同士が干渉することによって、光電気変換部２１０から出力された高周波変調信号の雑音特性及び歪特性が劣化する。しかしながら、光信号を変調する高周波変調信号の周波数を適切に設定することで、モード間干渉に伴う雑音特性及び歪特性の劣化を低減することが可能となる。
【００３２】
そこで、制御部１３０は、マルチモード光伝送路３１０を伝搬する各モードの群遅延情報Ｃ１に基づいて、変調部１２０が出力する高周波変調信号の周波数を設定する。具体的には、制御部１３０は、マルチモード光伝送路３１０を伝搬する支配的なモード同士の間の群遅延差Δτに基づいて、変調部１２０が出力する高周波変調信号の周波数を設定する。なお、以下の説明では、支配的なモードが、基本モードと１次モードとである場合について述べる。
【００３３】
なお、変調部１２０は、電気光変換部１１０に信号を出力するための構成であるので、信号出力部と記してもよい。また、マルチモード光伝送路３１０には、典型的には、マルチモード光ファイバケーブルが用いられるが、使用条件によっては、シングルモード光ファイバケーブルが用いられてもよい。
【００３４】
以下、数式及び図を用いて、雑音特性及び歪特性の劣化を低減できる高周波変調信号の周波数条件について説明する。（式１）は、２波の変調信号（角周波数ω1、ω2）で光信号を直接変調し、マルチモード光伝送路３１０を用いて伝送した場合に、伝搬経路の異なる２つのモード（基本モードと１次モード）同士が干渉することによって生じる３次歪成分ＩIM3（角周波数２ω1−ω2）を表わしている。
【００３５】
【数１】
2007043672.tif 000003
【００３６】
（式１）において、平方根の中の項は、角周波数ω1、ω2と群遅延差Δτとに応じて変化する為、３次歪量は、変調信号の周波数と群遅延差Δτとに依存する。図２及び図３は、モード間干渉によって発生する３次歪の変調周波数に対する依存性を説明する図である。図２及び図３において、縦軸は（式１）を計算した結果（すなわち、３次歪ＩIM3）を、横軸は角周波数ω1と群遅延差Δτとの積（ω1Δτ）を表している。ここで、ω2は、ω1からΔωだけ離れた角周波数である。図２及び図３では、ΔωΔτが様々な値をとった場合の計算結果を示している。図２より、Δωが（式２）を満たす時、ω1が（式３）を満たす範囲で３次歪ＩIM3が小さくなる。同様に、図３より、Δωが（式４）を満たす時、ω1が（式５）を満たす範囲で３次歪ＩIM3が小さくなる。従って、群遅延差Δτの値が分かれば、２波の変調信号の間隔Δω及び角周波数ω1を（式２）〜（式３）、又は（式４）〜（式５）で表される範囲に設定することで、３次歪を最小に抑えることができる。
【００３７】
【数２】
2007043672.tif 000004
【００３８】
【数３】
2007043672.tif 000005
【００３９】
【数４】
2007043672.tif 000006
【００４０】
【数５】
2007043672.tif 000007
【００４１】
なお、（式２）〜（式５）において、ｎ＝０の時が伝送性能の改善効果が最も高いことが予測される。それは、光信号を変調する周波数が低いほど、（式１）におけるＦＭ変調指数Ｂ1及びＢ2が大きくなり、結果として、（式１）におけるＪ0（Ｂ1）及びＪ0（Ｂ2）を小さくすることができるためである。さらには、所望の伝送帯域が決まっている場合には、所望の伝送帯域に収まるように、ｎを最適な値に設定することで、所望の周波数帯域において高い伝送性能の改善効果を得ることができる。
【００４２】
ここで、群遅延差Δτを測定する方法について図４を用いて説明する。図４は、群遅延差Δτを測定するマルチモード光伝送システム１ａの構成の一例を示すブロック図である。図４において、マルチモード光伝送システム１ａは、群遅延差Δτを測定するために、光送信装置１１ａが送信側モード群遅延推定部と、光受信装置２１ａが受信側モード群遅延推定部とをさらに備える。また、送信側モード群遅延推定部と、受信側モード群遅延推定部とは、マルチモード光伝送路３２０で接続される。送信側モード群遅延推定部は、短パルス信号発生部１４１と、比較演算部１４２と、光電気変換部１５１とを含む。受信側モード群遅延推定部は、電気光変換部２５１を含む。
【００４３】
なお、マルチモード光伝送システム１ａは、送信側モード群遅延推定部を光送信装置１１ａの外部に、受信側モード群遅延推定部を光受信装置２１ａの外部に備えてもよい。
【００４４】
送信側モード群遅延推定部において、短パルス信号発生部１４１は、短パルス信号を発生させる。短パルス信号発生部１４１が発生させた短パルス信号は、電気光変換部１１０で光信号へ変換され、マルチモード光伝送路３１０へ送出される。マルチモード光伝送路３１０を伝搬した光信号は、光受信装置２１ａで受信される。光受信装置２１ａで受信された光信号は、光電気変換部２１０で短パルス信号へ変換される。短パルス信号は、受信側モード群遅延推定部に入力される。受信側モード群遅延推定部において、短パルス信号は、電気光変換部２５１で再び光信号へ変換され、マルチモード光伝送路３２０へ送出される。
【００４５】
送信側モード群遅延推定部において、マルチモード光伝送路３２０を伝搬した光信号は、光電気変換部１５１で短パルス信号へ変換される。比較演算部１４２は、光電気変換部１５１によって変換された短パルス信号と、短パルス信号発生部１４１が発生させた短パルス信号とを比較して、光電気変換部１５１によって変換された短パルス信号の波形広がりを測定する。比較演算部１４２は、測定した波形広がりから、マルチモード光伝送路３１０及びマルチモード光伝送路３２０で発生した基本モードと１次モードとの間の群遅延差Δτを算出する。
【００４６】
なお、マルチモード光伝送システム１ａにおいては、マルチモード光伝送路３１０と、マルチモード光伝送路３２０とを、同一のマルチモード光伝送路としてもよい。このような構成にしても、光送信装置１１ａから光受信装置２１ａへ伝送される短パルス信号と、光受信装置２１ａから光送信装置１１ａへ伝送される短パルス信号とは、時間的に重なることはないため、それらが衝突することはない。このため、送信側モード群遅延推定部は、より正確に基本モードと１次モードとの間の群遅延差Δτを算出することができる。
【００４７】
以上のように、本発明の第１の実施形態に係るマルチモード光伝送システムによれば、マルチモード光伝送路３１０を伝搬する各モードの群遅延情報に基づいて、光信号を変調する高周波変調信号の周波数を適切に設定することで、モード間干渉に伴う雑音特性及び歪特性の劣化を低減することができる。これによって、マルチモード光ファイバを光伝送路として用いた場合も光伝送品質の低下を防ぐことができ、安いコストで高品質な光伝送システムを構築することができる。
【００４８】
また、モード群遅延推定部を備えることで、マルチモード光伝送路３１０を伝搬する各モードの群遅延情報を推定することができる。これによって、ネットワーク構成が変化した場合においても、モード間干渉に伴う雑音特性及び歪特性の劣化を低減することができる。また、モード群遅延推定部は、短パルス信号を用いることで、マルチモード光伝送路３１０を伝搬する各モードの群遅延情報を正確に推定することができる。
【００４９】
また、マルチモード光伝送システムは、簡易的には、送信側モード群遅延推定部及び受信側モード群遅延推定部を用いずに、マルチモード光伝送路３１０の長さに基づいて、マルチモード光伝送路３１０を伝搬する各モードの群遅延情報を推定してもよい。これによって、マルチモード光伝送システムは、複雑な構成を用いることなく、モード群遅延情報を推定することができる。
【００５０】
また、上述した説明では、伝搬経路の異なる２つのモード同士が干渉することによって生じる３次歪に関して述べてきたが、本実施形態に係るマルチモード光伝送システム１は、これ以外の種類の歪（例えば、２次歪や雑音など）に対しても有用である。すなわち、マルチモード光伝送システム１は、高周波変調信号の周波数を（式２）〜（式３）、又は（式４）〜（式５）の条件を満たすように設定することで、３次歪以外の特性劣化も改善することができる。また、本実施形態に係るマルチモード光伝送システム１は、モード数が複数ある場合についても、同様の効果を得ることができる。
【００５１】
さらに、高周波変調信号の振幅を大きくすることでＦＭ変調指数Ｂ1及びＢ2が大きくなるため、ベッセル関数Ｊ0（Ｂ1）及びＪ0（Ｂ2）の値を小さくすることができる。従って、本実施形態に係るマルチモード光伝送システム１は、高周波変調信号の周波数を（式２）〜（式３）、又は（式４）〜（式５）の条件を満たすように設定すると共に、高周波変調信号の振幅を大きく設定することで、モード間干渉に伴う雑音特性及び歪特性の劣化をより効果的に低減することができる。
【００５２】
（第２の実施形態）
第１の実施形態では、高周波変調信号の周波数を基本モードと１次モードとの間の群遅延差Δτに基づいて設定する方法について述べた。第２の実施形態では、高周波変調信号に重畳信号を周波数多重し、重畳信号の周波数を最適に設定することで、モード間干渉に伴う雑音特性及び歪特性の劣化を低減する方法について述べる。
【００５３】
図５は、本発明の第２の実施形態に係るマルチモード光伝送システム２の構成の一例を示すブロック図である。図５において、マルチモード光伝送システム２は、光送信装置１２と、光受信装置２２とが、マルチモード光伝送路３１０によって接続された構成である。光送信装置１２は、電気光変換部１１０、変調部１２０、制御部１３０、合波部１６０、及び重畳信号発生部１７０を備える。光受信装置２２は、光電気変換部２１０を備える。
【００５４】
光送信装置１２において、制御部１３０は、マルチモード光伝送路３１０を伝搬する基本モードと１次モードとの間の群遅延差Δτに基づいて、重畳信号発生部１７０が発生させる重畳信号の周波数を設定する。重畳信号発生部１７０は、特定の周波数を有する重畳信号を発生させる。データＤ１は、変調部１２０で変調され、高周波変調信号として出力される。合波部１６０は、重畳信号発生部１７０が発生させた重畳信号と、変調部１２０が出力した高周波変調信号とを周波数多重し、高周波変調信号として出力する。合波部１６０から出力された高周波変調信号は、電気光変換部１１０において光信号へ変換され、マルチモード光伝送路３１０へ送出される。マルチモード光伝送路３１０から光受信装置２２へ入力された光信号は、光電気変換部２１０において高周波変調信号へ変換される。
【００５５】
なお、変調部１２０は、高周波変調信号の代わりに、ベースバンド信号で変調された信号を出力してもよい。また、変調部１２０、合波部１６０、及び重畳信号発生部１７０は、電気光変換部１１０に信号を出力するための構成であるので、信号出力部と記してもよい。
【００５６】
ここで、マルチモード光伝送システム２は、高周波変調信号と周波数多重させる重畳信号の周波数を適切な値に設定することで、モード間干渉に伴う雑音特性及び歪特性を低減することが可能となる。以下、数式及び図面を用いて、雑音特性及び歪特性の劣化を低減できる重畳信号の周波数条件について説明する。
【００５７】
（式６）は、２波の変調信号（角周波数ω1、ω2）と、１波の重畳信号（角周波数ωLO）とで光信号を直接変調し、マルチモード光伝送路３１０を用いて伝送した場合に、伝搬経路の異なる２つのモード（基本モードと１次モード）同士が干渉することによって生じる３次歪成分ＩIM3（角周波数２ω1−ω2）を表わしている。
【００５８】
【数６】
2007043672.tif 000008
【００５９】
（式６）において、第２項は、重畳信号の周波数に依存しており、第２項の平方根の中の項は、重畳信号の角周波数ωLOと群遅延差Δτとの積に応じて変化する為、３次歪量は、重畳信号の角周波数ωLOと群遅延差Δτとに応じて変化する。
【００６０】
図６は、モード間干渉によって発生する３次歪に対する重畳信号の効果を説明する図である。図６において、縦軸は（式６）を計算した結果（すなわち、３次歪みＩIM3）であり、横軸は変調信号の角周波数ω1と、群遅延差Δτとの積（ω1Δτ）である。図６では、ωLOΔτが２ｎπ及び２（ｎ＋１）π、ｎが整数の値をとった場合の計算結果を示している。図６より、ωLOΔτが２（ｎ＋１）πの時に、ωLOΔτが２ｎπの時に比べて、３次歪ＩIM3は小さくなる。従って、重畳信号の角周波数ωLOを（式７）を満たす値に設定することで、変調信号の周波数にかかわらず、３次歪ＩIM3を低減することができる。さらに、図６より、変調信号の周波数を、（式８）を満たす値に設定することで、さらに３次歪ＩIM3を低減することが可能である。
【００６１】
【数７】
2007043672.tif 000009
【００６２】
【数８】
2007043672.tif 000010
【００６３】
ここで、基本モードと１次モードとの間の群遅延差Δτを検出する方法は、第１の実施形態と同様であるので、詳細な説明を省略する。また、第１の実施形態と同様に、第２の実施形態に係るマルチモード光伝送システム２は、簡易的には、マルチモード光伝送路３１０の長さに基づいて、基本モードと１次モードとの間の群遅延差Δτを検出してもよい。
【００６４】
また、（式７）において、ｎ＝０の時が最も伝送性能の改善効果が高いことが予想される。それは、光信号を変調する周波数が低いほど、（式６）におけるＦＭ変調指数ＢLOが大きくなり、結果として、（式６）におけるＪ0（ＢLO）を小さくすることができるからである。さらには、重畳信号の高調波成分が伝送信号に重ならないように、ｎを最適な値に設定することで、重畳信号の高調波成分が伝送信号に与える影響を回避しつつ、モード間干渉に伴う雑音特性及び歪特性の劣化を軽減することができる。
【００６５】
以上のように、本発明の第２の実施形態に係るマルチモード光伝送システム２によれば、マルチモード光伝送路３１０を伝搬する各モードの群遅延情報に基づいて、光信号を変調する重畳信号の周波数を適切に設定することで、モード間干渉に伴う雑音特性及び歪特性の劣化を低減することができる。また、高周波変調信号に重畳信号を周波数多重することによって、光源の線幅を広げることができるため、モード間干渉に伴う雑音特性及び歪特性の劣化をより軽減することができる。
【００６６】
なお、変調部１２０は、（式９）あるいは（式１０）の条件を満たすように、高周波変調信号の周波数ｆを設定してもよい。これによって、マルチモード光伝送システム２は、光電気変換部２１０から出力される高周波変調信号の振幅を最大限確保することができるため、より高品質な伝送を行なうことができる。
【数９】
2007043672.tif 000011
【数１０】
2007043672.tif 000012
ただし、ｎは任意の自然数である。
【００６７】
また、上述した説明では、伝搬経路が異なる２つのモード同士が干渉することによって生じる３次歪に関して述べてきたが、本実施形態に係るマルチモード光伝送システム２は、これ以外の種類の歪（例えば、２次歪や雑音など）に対しても有用である。すなわち、マルチモード光伝送システム２は、重畳信号の周波数を（式７）を満たすように設定することで、３次歪以外の特性劣化も改善することができる。また、本実施形態に係るマルチモード光伝送システム２は、モード数が複数ある場合についても、同様の効果を得ることができる。
【００６８】
さらに、重畳信号の振幅を大きくすることでＦＭ変調指数ＢLOが大きくなるため、ベッセル関数Ｊ0（ＢLO）の値が小さくなり、（式６）における第１項の値を小さくすることができる。一方、ベッセル関数Ｊ1（ＢLO）の値は、ＢLOが大きくなるのに伴って大きくなるため、第２項の値は大きくなる。しかし、重畳信号の周波数を上述した値に設定することで、第２項の値も小さくすることができる。従って、本実施形態に係るマルチモード光伝送システム２は、重畳信号の周波数を（式７）の条件を満たすように設定すると共に、重畳信号の振幅を大きく設定することで、モード間干渉に伴う雑音特性及び歪特性の劣化をより効果的に低減することができる。
【００６９】
（第３の実施形態）
第１の実施形態及び第２の実施形態では、高周波変調信号の周波数、あるいは高周波変調信号と周波数多重する重畳信号の周波数を適切に設定することで、モード間干渉に伴う雑音特性及び歪特性の劣化を低減する方法について述べた。第３の実施形態では、高周波変調信号あるいは重畳信号の周波数を変えると、歪量あるいは雑音量が変化することを利用して、マルチモード光伝送路３１０を伝搬する基本モードと１次モードとの間の群遅延差Δτを測定する方法について述べる。
【００７０】
図７Ａは、本発明の第３の実施形態に係るマルチモード光伝送システム３ａの構成の一例を示すブロック図である。図７Ａにおいて、マルチモード光伝送システム３ａは、光送信装置１３ａと、光受信装置２３ａとが、マルチモード光伝送路３１０及びマルチモード光伝送路３２０で接続された構成である。光送信装置１３ａは、電気光変換部１１０、変調部１２０、制御部１３０、光電気変換部１５１、及び比較演算部１８１を備える。光受信装置２３ａは、光電気変換部２１０及び電気光変換部２５１を備える。
【００７１】
なお、変調部１２０は、電気光変換部１１０に信号を出力するための構成であるので、信号出力部と記してもよい。また、光電気変換部１５１及び比較演算部１８１は、送信側で基本モードと１次モードとの間の群遅延差Δτを推定するための構成であるので、送信側モード群遅延推定部と記してもよい。また、電気光変換部２５１は、受信側で基本モードと１次モードとの間の群遅延差Δτを推定するための構成であるので、受信側モード群遅延推定部と記してもよい。
【００７２】
光送信装置１３ａにおいて、変調部１２０は、入力されたデータＤ１を変調して、高周波変調信号として出力する。変調部１２０から出力された高周波変調信号は、電気光変換部１１０で光信号へ変換され、マルチモード光伝送路３１０へ送出される。マルチモード光伝送路３１０を伝搬した光信号は、光受信装置２３ａで受信される。光受信装置２３ａで受信された光信号は、光電気変換部２１０において高周波変調信号へ変換される。高周波変調信号は、受信側モード群遅延推定部に入力される。受信側モード群遅延推定部において、高周波変調信号は、電気光変換部２５１で再び光信号へ変換され、マルチモード光伝送路３２０へ送出される。
【００７３】
送信側モード群遅延推定部において、マルチモード光伝送路３２０を伝搬した光信号は、光電気変換部１５１で高周波変調信号へ変換される。比較演算部１８１は、変調部１２０から出力された高周波変調信号と、光電気変換部１５１で変換された高周波変調信号とを比較して、光電気変換部１５１で変換された高周波変調信号に含まれる歪量（例えば、２次高調波歪、３次相互変調波歪など）を算出する。比較演算部１８１は、当該算出した歪量に基づいて、マルチモード光伝送路３１０及びマルチモード光伝送路３２０で発生した基本モードと１次モードとの間の群遅延差Δτを算出する。
【００７４】
より具体的には、第１の実施形態で説明したように、２波の変調信号（角周波数ω1、ω2）で光信号を直接変調し、マルチモード光伝送路３１０を用いて伝送した場合に、モード間干渉によって発生する３次歪は、変調信号の周波数に対して依存する。すなわち、高周波変調信号の周波数変化に応じて３次歪量が変化するので、比較演算部１８０は、高周波変調信号の周波数を変化させたときの３次歪量の変化に基づいて、群遅延差Δτを算出することができる。
【００７５】
図７Ｂは、本発明の第３の実施形態に係るマルチモード光伝送システム３ｂの構成の一例を示すブロック図である。図７Ｂにおいて、マルチモード光伝送システム３ｂは、光送信装置１３ｂと、光受信装置２３ｂとが、マルチモード光伝送路３１０及びマルチモード光伝送路３２０で接続された構成である。光送信装置１３ｂは、電気光変換部１１０、変調部１２０、制御部１３０、光電気変換部１５１、合波部１６０、重畳信号発生部１７０、及び比較演算部１８２を備える。光受信装置２３ｂは、光電気変換部２１０及び電気光変換部２５１を備える。
【００７６】
なお、変調部１２０、合波部１６０、及び重畳信号発生部１７０は、電気光変換部１１０に信号を出力するための構成であるので、信号出力部と記してもよい。また、光電気変換部１５１及び比較演算部１８２は、送信側で基本モードと１次モードとの間の群遅延差Δτを推定するための構成であるので、送信側モード群遅延推定部と記してもよい。また、電気光変換部２５１は、受信側で基本モードと１次モードとの間の群遅延差Δτを推定するための構成であるので、受信側モード群遅延推定部と記してもよい。
【００７７】
光送信装置１３ｂにおいて、変調部１２０は、入力されたデータＤ１を変調して、高周波変調信号として出力する。重畳信号発生部１７０は、特定の周波数の重畳信号を発生させる。合波部１６０は、変調部１２０が出力した高周波変調信号と、重畳信号発生部１７０が発生させた重畳信号とを周波数多重し、高周波変調信号として出力する。合波部１６０から出力された高周波変調信号は、電気光変換部１１０で光信号へ変換され、マルチモード光伝送路３１０へ送出される。
【００７８】
マルチモード光伝送路３１０を伝搬した光信号は、光受信装置２３ｂで受信される。光受信装置２３ｂで受信された光信号は、光電気変換部２１０において高周波変調信号へ変換される。高周波変調信号は、受信側モード群遅延推定部に入力される。受信側モード群遅延推定部において、高周波変調信号は、電気光変換部２５１で再び光信号へ変換され、マルチモード光伝送路３２０へ送出される。
【００７９】
送信側モード群遅延推定部において、マルチモード光伝送路３２０を伝搬した光信号は、光電気変換部１５１で高周波変調信号へ変換される。比較演算部１８２は、信号出力部から出力された高周波変調信号と、光電気変換部１５１で変換された高周波変調信号に含まれる重畳信号とを比較して、重畳信号に含まれる歪量（例えば、２次高調波歪、３次相互変調波歪など）を算出する。比較演算部１８２は、当該算出した歪量に基づいて、マルチモード光伝送路３１０及びマルチモード光伝送路３２０で発生した基本モードと１次モードとの間の群遅延差Δτを算出する。
【００８０】
より具体的には、第２の実施形態で説明したように、２波の変調信号（角周波数ω1、ω2）と、１波の重畳信号（角周波数ωLO）とで光信号を直接変調し、マルチモード光伝送路３１０を用いて伝送した場合に、モード間干渉によって発生する３次歪は、重畳信号の周波数に対して依存する。図８は、モード間干渉によって発生する３次歪量の重畳信号に対する周波数依存性を説明する図である。図８より、２波の変調信号の周波数を適当な値（ここでは、ω1Δτ＝２ｎπ、ω2Δτ＝ω1Δτ＋０．１π、ｎを任意の整数）に設定すると、ωLOΔτの値に応じて３次歪ＩIM3が変化している。すなわち、重畳信号の周波数変化に応じて３次歪量が変化するので、比較演算部１８０は、重畳信号の周波数を変化させたときの３次歪量の変化に基づいて、群遅延差Δτを算出することができる。
【００８１】
なお、上述した説明では、基本モードと１次モードとの間の群遅延差Δτを歪量から算出したが、群遅延差Δτは、雑音量をモニタすることでも算出できる。具体的には、光送信装置１３ｂは、無変調キャリア（以下、モニタ信号と記す）と重畳信号とを周波数多重した信号で変調された光信号を、マルチモード光伝送路３１０を介して送信する。光送信装置１３ｂは、マルチモード光伝送路３２０を介して受信した光信号を、光電気変換部１５１で復調すると、モニタ信号近傍の雑音が重畳信号の周波数に応じて変化する。その変化の周期はマルチモード光伝送路３１０を伝搬するモードの群遅延情報に依存しているため、重畳信号の周波数とモニタ信号近傍近傍の雑音レベルとの関係を求めれば、群遅延差Δτを求めることができる。なお、モニタ信号のみで光信号を変調しても同様に群遅延差Δτを測定することができる。すなわち、モニタ信号の周波数を変化させると、モニタ信号近傍の雑音がモニタ信号の周波数に応じて変化するため、モニタ信号の周波数と、モニタ信号近傍の雑音レベルとを測定すれば、群遅延差Δτを算出することができる。
【００８２】
また、本実施形態に係るマルチモード光伝送システム３ａ、３ｂは、マルチモード光伝送路３１０と、マルチモード光伝送路３２０とを、同一のマルチモード光伝送路としてもよい。例えば、マルチモード光伝送システム３ａ、３ｂは、両方向の光信号を波長多重することで、波長多重した光信号を同一のマルチモード光伝送路で伝送することことができる。これによって、より正確に基本モードと１次モードとの間の群遅延差Δτを算出することができる。
【００８３】
以上にように、本発明の第３の実施形態に係るマルチモード光伝送システムによれば、変調信号の歪成分を重畳信号の周波数を変化させて観測することによって推定することができる。これによって、第１の実施形態で示したような、短パルス信号発生部１４１を使うことなく、マルチモード光伝送路３１０における群遅延差Δτを推定することができる。また、本実施形態に係るマルチモード光伝送システム３は、モード数が複数ある場合にも、同様の手法を用いることで、マルチモード光伝送路３１０における群遅延差Δτを推定することができる。
【００８４】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００８５】
本発明のマルチモード光伝送システムは、モード間干渉に伴う雑音特性及び歪特性の劣化を低減すること等に有用である。
【図面の簡単な説明】
【００８６】
【図１】本発明の第１の実施形態に係るマルチモード光伝送システム１の構成の一例を示すブロック図
【図２】モード間干渉によって発生する３次歪の変調周波数依存性を説明する図
【図３】モード間干渉によって発生する３次歪の変調周波数依存性を説明する図
【図４】群遅延差Δτを測定するマルチモード光伝送システム１ａの構成の一例を示すブロック図
【図５】本発明の第２の実施形態に係るマルチモード光伝送システム２の構成の一例を示すブロック図
【図６】モード間干渉によって発生する３次歪に対する重畳信号の効果を説明する図
【図７Ａ】本発明の第３の実施形態に係るマルチモード光伝送システム３ａの構成の一例を示すブロック図
【図７Ｂ】本発明の第３の実施形態に係るマルチモード光伝送システム３ｂの構成の一例を示すブロック図
【図８】モード間干渉によって発生する３次歪量の重畳信号に対する周波数依存性を説明する図
【図９】従来のマルチモード光ファイバを用いた光伝送システムの構成の一例を示すブロック図
【符号の説明】
【００８７】
１，１ａ，２，３ａ，３ｂ  マルチモード光伝送システム
１１〜１３  光送信装置
１１０，２５１  電気光変換部
１２０  変調部
１３０  制御部
１４１  短パルス発生部
１４２  比較演算部
１５１，２１０  光電気変換部
１６０  合波部
１７０  重畳信号発生部
１８０  比較演算部
２１，２１ａ，２２，２３ａ，２３ｂ  光受信装置
３１０、３２０  マルチモード光伝送路
【図１】
2007043672.tif 000013
【図２】
2007043672.tif 000014
【図３】
2007043672.tif 000015
【図４】
2007043672.tif 000016
【図５】
2007043672.tif 000017
【図６】
2007043672.tif 000018
【図７Ａ】
2007043672.tif 000019
【図７Ｂ】
2007043672.tif 000020
【図８】
2007043672.tif 000021
【図９】
2007043672.tif 000022